(57)【要約】【課題】均一かつ微細な空気の混合がなされた水を安定して吐出しシャワーとしての十分な使用感が得られるシャワーヘッドを提供する。【解決手段】ヘッド本体１２と散水板１４を有するヘッド先端部１６との間、及び又は、ヘッド基端部とシャワーホース１８との間に、次のように構成された節水アダプタ３０を連結した。すなわち、節水アダプタ３０は、軸方向に貫通する通水路２０に拡径部２２とこの拡径部２２に連接する縮径部２４とを備え、かつ一端が通水路２０に開口し、かつ他端が外気に連通する小幅の周溝２６内に開口する空気吸入孔２８を備えたものである。使用時に、ヘッド本体１２を持っている手で空気吸入孔２８が塞がれることがなく、安定した吸気作用が行われる。【選択図】図１
0003110760.tif 000002
【実用新案登録請求の範囲】
【請求項１】
散水板を有するヘッド先端部とヘッド本体との間、及び又は、ヘッド基端部とシャワーホースとの間に、
軸方向に貫通する通水路に拡径部とこの拡径部に連接する縮径部とを備え、かつ一端が前記通水路に開口し、かつ他端が外気に連通する小幅の周溝内に開口する空気吸入孔を備えた節水アダプタを連結したことを特徴とするシャワーヘッド。
【請求項２】
請求項１に記載のシャワーヘッドにおいて、
前記散水板の中央部に、集中的に配列された多数の小孔からなる第１の散水孔群を設け、
前記散水板の周縁近傍部に、周方向に数列に配列された多数の小孔からなる第２の散水孔群を設け、
前記中央部と前記周縁部との中間部に、周方向に１列に配列された多数の小孔からなる第３の散水孔群を設け、
前記第２の散水孔群の小孔、及び又は、前記第３の散水孔群の小孔を開閉する小孔開閉手段を設けたことを特徴とするシャワーヘッド。
【請求項３】
請求項１に記載のシャワーヘッドにおいて、
前記節水アダプタの空気吸入孔内に、前記通水路内の水が外気側に流出するのを防止する逆止弁を設けたことを特徴とするシャワーヘッド。
【請求項４】
請求項１に記載のシャワーヘッドにおいて、
前記ヘッド本体の通水路に、筒体の上流側に脱塩素ろ材を配置すると共に、同筒体の下流側に美容部材を充填してなる水質改善カートリッジを着脱自在に介装したことを特徴とするシャワーヘッド。
【請求項５】
請求項１に記載のシャワーヘッドにおいて、
前記ヘッド本体の通水路に、筒体の上流側に浄化剤を配置すると共に、同筒体の下流側に美容部材を充填してなる水質改善カートリッジを着脱自在に介装したことを特徴とするシャワーヘッド。
【請求項６】
請求項４又は５に記載のシャワーヘッドにおいて、
前記筒体を透明材料で形成し、前記脱塩素ろ材又は前記浄化剤及び前記美容部材を前記ヘッド本体の外側から透視可能としたことを特徴とするシャワーヘッド。
【請求項７】
請求項１〜６のいずれかに記載のシャワーヘッドにおいて、
前記ヘッド本体の中間部分を、径方向に膨らませて紡錘形としたことを特徴とするシャワーヘッド。
【考案の詳細な説明】
【技術分野】
【０００１】
本考案は、空気吸込口を備え、この空気吸込口からの空気を通水路の流水に混入して節水効果を奏するシャワーヘッドに関する。
【背景技術】
【０００２】
従来から、水（温水を含む）に空気を混入することにより、水の見かけ上の体積を増加させ、実流量よりも水勢を向上させるようにした節水可能なシャワーヘッドは知られている。
このシャワーヘッドは、水が流水する通水路途中に、流路断面積よりも面積の総和が小さい複数の水吐出口を設けることにより、流水を増速させる水増速部と、この水増速部近傍に配設され、水が流水する通水路に空気を吸入する外気と連通している空気吸入孔を備える空気混入機構と、この空気混入機構の下流側にテーパ状ののど部とを形成したものである（特許文献１参照）。
【特許文献１】特開２００２−１０２１００号公報
【考案の開示】
【考案が解決しようとする課題】
【０００３】
ところで、上記の技術には、次のような解決すべき課題があった。
従来のシャワーヘッドは、空気吸入孔の開口面が外気に直接開口するように構成されている。このため、使用中にヘッド本体を握っている手で空気吸入孔の開口を塞いでしまい、安定した散水が得られないという課題があった。
【０００４】
本考案は、以上の点に着目してなされたもので、均一かつ微細な空気の混合がなされた水を安定して吐出しシャワーとしての十分な使用感が得られるシャワーヘッドを提供することを目的とする。
【課題を解決するための手段】
【０００５】
本考案の実施例においては、次のような構成により上記の課題を解決する。
〈構成１〉
散水板を有するヘッド先端部とヘッド本体との間、及び又は、ヘッド基端部とシャワーホースとの間に、軸方向に貫通する通水路に拡径部とこの拡径部に連接する縮径部とを備え、かつ一端が上記通水路に開口し、かつ他端が外気に連通する小幅の周溝内に開口する空気吸入孔を備えた節水アダプタを連結したことを特徴とするシャワーヘッド。
【０００６】
節水アダプタを介装したことにより、水に空気を混入して水の見かけ上の体積を増加させ、実流量よりも水勢を向上させて節水可能とすると共に使用時の満足感も同時に得られる。空気吸入孔の、外気側の開口が小幅の周溝内に連通していることにより、使用時に、ヘッド本体を持っている手で空気吸入孔が塞がれることがなく、安定した吸気作用が行われる。
【０００７】
〈構成２〉
構成１に記載のシャワーヘッドにおいて、上記散水板の中央部に、集中的に配列された多数の小孔からなる第１の散水孔群を設け、上記散水板の周縁近傍部に、周方向に数列に配列された多数の小孔からなる第２の散水孔群を設け、上記中央部と上記周縁部との中間部に、周方向に１列に配列された多数の小孔からなる第３の散水孔群を設け、上記第２の散水孔群の小孔、及び又は、上記第３の散水孔群の小孔を開閉する小孔開閉手段を設けたことを特徴とするシャワーヘッド。
【０００８】
第１〜３の散水孔群の全ての小孔からシャワー吐水したときは、散水板の周縁近傍部からも中央部に劣らない水勢の散水が得られる。小孔開閉手段により、散水範囲の広がりと水勢を適時調整できる。
【０００９】
〈構成３〉
構成１に記載のシャワーヘッドにおいて、上記節水アダプタの空気吸入孔内に、上記通水路内の水が外気側に流出するのを防止する逆止弁を設けたことを特徴とするシャワーヘッド。
【００１０】
空気吸入孔からの漏水を防止する。
【００１１】
〈構成４〉
構成１に記載のシャワーヘッドにおいて、上記ヘッド本体の通水路に、筒体の上流側に脱塩素ろ材を配置すると共に、同筒体の下流側に美容部材を充填してなる水質改善カートリッジを着脱自在に介装したことを特徴とするシャワーヘッド。
【００１２】
脱塩素ろ材及び美容部材を含む水質改善カートリッジを介装したことにより、水道水に含まれる残留塩素により肌の脂質を酸化させて肌にダメージを与えてしまうことを防止すると共に、より有効な美容効果が得られる。
【００１３】
〈構成５〉
構成１に記載のシャワーヘッドにおいて、上記ヘッド本体の通水路に、筒体の上流側に浄化剤を配置すると共に、同筒体の下流側に美容部材を充填してなる水質改善カートリッジを着脱自在に介装したことを特徴とするシャワーヘッド。
【００１４】
これは、不純物の除去や水道水の浄化効果があり、水質を向上する。
【００１５】
〈構成６〉
構成４又は５に記載のシャワーヘッドにおいて、上記筒体を透明材料で形成し、上記脱塩素ろ材又は上記浄化剤及び上記美容部材を上記ヘッド本体の外側から透視可能としたことを特徴とするシャワーヘッド。
【００１６】
脱塩素ろ材又は前記浄化剤及び美容部材を収納する筒体を透明材料で形成することにより、脱塩素ろ材又は浄化剤や美容部材の寿命が変色状況で交換時期が分かり、しかも水質改善カートリッジが着脱自在であることから、メンテナンスが容易である。
【００１７】
〈構成７〉
構成１〜６のいずれかに記載のシャワーヘッドにおいて、上記ヘッド本体の中間部分を、径方向に膨らませて紡錘形としたことを特徴とするシャワーヘッド。
【００１８】
ヘッド本体の中間部分を紡錘形としたことにより、使用時に握り易いという効果を奏する。
【考案を実施するための最良の形態】
【００１９】
以下、本考案の実施の形態を実施例により詳細に説明する。
【実施例１】
【００２０】
図１は、実施例１のシャワーヘッドを示す図で、（ａ）は正面図、（ｂ）は側面図である。
このシャワーヘッドは、散水板１４を有するヘッド先端部１６とヘッド本体１２との間、及び又は、ヘッド基端部１７とシャワーホース１８との間に、節水アダプタ３０を連結したものである。
【００２１】
すなわち、節水アダプタ３０は、ヘッド先端部１６とヘッド本体１２との間、あるいは、ヘッド基端部１７とシャワーホース１８との間、あるいは、ヘッド先端部１６とヘッド本体１２との間とヘッド基端部１７とシャワーホース１８との間の３つの形態のいずれかに設けられている。ヘッド本体１２の中間部分は、握り易いように、径方向に膨らませて紡錘形とされている。
【００２２】
図２は節水アダプタ３０の断面図、図３は図２の一部を拡大した断面図、図４はこの節水アダプタ３０を分解した断面図をそれぞれ示す。
これらの図において、節水アダプタ３０は、空気吸入孔２８、ノズル部２５を有する内筒２３と、この内筒２３の後方（図中、下方）に嵌合される後端側外筒２１と、内筒２３の先方（図中、上方）に嵌合される先端側外筒２９とを備え、軸心に貫通する通水路２０を有している。
【００２３】
内筒２３の外周上の２箇所に外ねじ６１、６２が設けられれている。一方の外ねじ６１は、後端側外筒２１の内ねじ６４に螺合されている。他方の外ねじ６２は、先端側外筒２９の内ねじ６５に螺合されている。
【００２４】
内筒２３の通水路２０は、後端側外筒２１の一端部２２内径よりも縮径されている。すなわち、後端側外筒２１の通水路２０の一端は拡径部２２とされ、内筒２３の通水路２０は縮径部２４とされている。拡径部２２と縮径部２４は連接している。
【００２５】
内筒２３に径方向に設けられた空気吸入孔２８は、図２に示されるように、一端が通水路２０に開口し、かつ他端が外気に連通する小幅の周溝２６内に開口している。すなわち、周溝２６は後端側外筒２１と先端側外筒２９との対向面間に形成されており、周溝２６と空気吸入孔２８とは後端側外筒２１と内筒２３との間に設けられた隙間３１を介して連通している。小幅の周溝２６とは、使用者の指が嵌入しない程度の小さな間隔を有する周溝である。
【００２６】
空気吸入孔２８は、外方に向かって細くなるテーパ孔となっている。この内部に、通水路２０内の水が空気吸入孔２８から外気側に流出するのを防止する逆止弁５６が設けられている。この逆止弁５６は、図３に示すように空気吸入孔２８内に配置され、外方に移動したときテーパ孔を閉塞するボール５７と、このボール５７が空気吸入孔２８の外の通水路２０に出ないように押さえる、棒状のストッパ５８とから構成されている。
【００２７】
後端側外筒２１の外周に設けられた外ねじ６３は、シャワーホース１８等の外部部品と連結するときに使用される。この外ねじ６３の一端側に、水密性を保持するために、Ｏリング等のパッキング６７が嵌め込まれている。
先端側外筒２９の内周に設けられた内ねじ６５は、ヘッド基端部１７の外周の外ねじ等に螺合するときに使用される。
【００２８】
ヘッド先端部１６に設けられた散水板１４には、図１（ａ）に示すように、中央部に集中的に配列された３０〜５０個の小孔からなる第１の散水孔群３４と、周縁近傍部に周方向に２列に配列された多数の小孔からなる第２の散水孔群３６と、中央部と周縁部との中間部に周方向に１列に配列された多数の小孔からなる第３の散水孔群３８とがそれぞれ設けられている。
【００２９】
第１の散水孔群３４の各小孔の直径は、０．２ｍｍ〜０．５ｍｍの範囲で設定されている。第２の散水孔群３６の各小孔の直径は、約１ｍｍの範囲で設定されている。第３の散水孔群３８の各小孔の直径は、０．４ｍｍ〜０．７ｍｍの範囲で設定されていることが好ましい。
【００３０】
ヘッド先端部１６には小孔開閉手段が設けられている。この小孔開閉手段とは、例えば、図５に示すように、第１〜３の散水孔群３４、３６、３８を設けた、２枚の散水板１４を、同軸に重ね合わせた状態で相対的に回動可能に取付けることにより構成される。すなわち、一方の散水板１４をヘッド先端部１６の端面に固着し、他方の散水版４を、ヘッド先端部１６の端部のねじ溝４５に螺合された、リング状のキャップ４６に固着する。
【００３１】
ヘッド先端部１６に対してキャップ４６を少しだけ回動することにより、２枚の散水板１４の対面する小孔どうしがずれて、各部の小孔を部分的に開閉し、散水量を増減できるようになるものである。例えば、各部の小孔の位置関係を、第１の散水孔群３４と第３の散水孔群３８の小孔を開口した状態で第２の散水孔群３６の小孔のみを閉塞した状態となるようにすれば、使用中に、全開放状態と部分開放状態の２種類の散水を選択できるようになる。なお、本考案のシャワーヘッドにおける小孔開閉手段は、上記構成に限定されるものではなく、他の構成でもよいものである。
【００３２】
図１に戻って説明すると、ヘッド本体１２の中間部における通水路２０に、図示の水質改善カートリッジ５４が着脱自在に介装されている。水質改善カートリッジ５４は、図６に示すように、中間に網６９を備えた筒体４８に、複数の脱塩素ろ材５０を適当間隔を置いて配置すると共に、網６９の上に美容部材５２を充填してなるものである。すなわち、ヘッド本体１２の通水路２０に、筒体４８の上流側（図６中、下側）に脱塩素ろ材を配置すると共に、同筒体の下流側（図６中、上側）に美容部材を充填した。
【００３３】
脱塩素ろ材５０としては、例えば、塩素を効率的に分解する亜硫酸カルシウムと不織布とから構成される酸化還元フィルタ、あるいは水を分解して浄化する好気性菌等の微生物が使用される。微生物を使用した場合は空気吸入孔２８から供給される空気で曝気され微生物が活性化される。美容部材５２としては、例えば、美白効果のあるビタミン剤や保温効果のある高硬度セラミック、弱アルカリ性又は弱酸性に変えて美白効果を奏する材料等が使用される。脱塩素ろ材５０や美容部材５２は、適時、カートリッジ毎に交換される。
【００３４】
あるいは、水質改善カートリッジ５４を、ヘッド本体１２の中間部における通水路２０に、筒体４８の上流側（図６中、下側）に浄化剤を配置すると共に、同筒体の下流側（図６中、上側）に美容部材を充填して構成されてもよい。
【００３５】
浄化剤としては、例えば、多数の孔の内部に酵素を定着させたセラミックボール等の多孔質素材や、不純物の分解を促進する好気性菌あるいは嫌気性菌等の微生物とその分解により生じた成分を吸着する木屑とを主成分とする分解媒体等が使用される。これは、不純物の除去や水道水の浄化効果があり、水質を向上する。美容部材としては、例えば、美白効果のあるビタミン剤や保温効果のある高硬度セラミック等が使用される。この場合も、浄化剤や美容部材は、適時、カートリッジ毎に交換される。
【００３６】
筒体４８は、透明材料により形成され、脱塩素ろ材５０及び美容部材５２を、ヘッド本体１２の外側から透視可能となるようにされている。筒体４８を透視可能とする共に、脱塩素ろ材５０や美容部材５２の寿命が変色状況で分かるようにすることにより、交換時期が容易に分かりメンテナンスが容易である。また、水を脱塩素ろ材５０に通過させることにより、シャワー吐水中に、気泡及び美容部材５２を微細かつ均一に混入させて散水し、美容効果をより有効に得ることができる。
【００３７】
上述したシャワーヘッドによれば、通水路２０に節水アダプタ３０を介装したことにより、水に空気を混入して水の見かけ上の体積を増加させ、実流量よりも水勢を向上させて節水可能とすると共に使用時の満足感も同時に得られる。また、使用時に、シャワーヘッド３２を持っている手で空気吸入孔２８が塞がれることがなく、安定した吸気作用が行われる。
【００３８】
また、ノズル部２５から噴射した水がヘッド先端部１６の屈曲面に衝突して流水に乱反射が起こりマイナスイオンが生成される。マイナスイオンは周知のように、酸化した身体内が還元され、気分が穏やかになるなど、人体組織を活性化して生体作用に抜群の効果をもたらす。
【図面の簡単な説明】
【００３９】
【図１】実施例１のシャワーヘッドを示す図で、（ａ）は正面図、（ｂ）は側面図である。
【図２】実施例１に使用される節水アダプタを示す断面図である。
【図３】図２の一部を拡大した断面図である。
【図４】同節水アダプタを分解して示す断面図である。
【図５】ヘッド先端部に設けた小孔開閉手段の一例を示す断面図である。
【図６】水質改善カートリッジに使用される筒体を示す説明図である。
【符号の説明】
【００４０】
１２  ヘッド本体
１４  散水板
１６  ヘッド先端部
１８  シャワーホース
２０  通水路
２２  拡径部
２４  縮径部
２６  周溝
２８  空気吸入孔
３０  節水アダプタ
３４  第１の散水孔群
３６  第２の散水孔群
３８  第３の散水孔群
４８  筒体
５０  脱塩素ろ材
５２  美容部材
５４  水質改善カートリッジ
【図１】
0003110760.tif 000003
【図２】
0003110760.tif 000004
【図３】
0003110760.tif 000005
【図４】
0003110760.tif 000006
【図５】
0003110760.tif 000007
【図６】
0003110760.tif 000008